(57)【要約】【課題】極めて簡単な構造でしかも折戸への取り付けが簡単な折戸用指つめ防止具及びこの指つめ防止具を取り付けた折戸を提供する。【解決手段】複数のパネル体の端縁同士がヒンジ金具を介して連結されて、連結されたパネル体がヒンジ金具を支点にして展開乃至折畳み可能とした折戸において、連結されたパネル体の背面に固定可能な一対の固定板と、これら両固定板間に掛け渡されて前記パネル体における連結側端縁間の隙間に配設される可撓性を備えたシート体から構成される指つめ防止具を用意し、この指つめ防止具の固定板を連結されたパネル本体の背面で且つ連結側端縁との角に沿って固定して、パネル体の展開時には、前記指つめ防止具のシート体が、前記連結側端縁間の隙間内においてパネル体の背面側外方に湾曲状に突出させ、パネル体の折畳みに伴ない、湾曲状の前記シート体が前記連結側端縁間においてほぼ平面状に開くように構成した。【選択図】図４
2009121034.tif 000002
【特許請求の範囲】
【請求項１】
複数のパネル体の端縁同士がヒンジ金具を介して連結されて、連結されたパネル体がヒンジ金具を支点にして展開乃至折畳み可能とした折戸用の指つめ防止具であって、連結されたパネル体の背面に固定可能な一対の固定板と、これら両固定板間に掛け渡されて前記パネル体における連結側端縁間の隙間に配設される可撓性を備えたシート体から構成され、このシート体は湾曲状に屈曲していることを特徴とする折戸用指つめ防止具。
【請求項２】
複数のパネル体の端縁同士がヒンジ金具を介して連結されて、連結されたパネル体がヒンジ金具を支点にして展開乃至折畳み可能とした折戸であって、請求項１に記載の指つめ防止具の固定板を、連結されたパネル本体の背面で且つ連結側端縁との角に沿って固定して、パネル体の展開時には、前記指つめ防止具のシート体が、前記連結側端縁間の隙間内においてパネル体の背面側外方に湾曲状に突出させ、パネル体の折畳みに伴ない、湾曲状の前記シート体が前記連結側端縁間においてほぼ平面状に開くように構成されていることを特徴とする折戸。
【発明の詳細な説明】
【技術分野】
【０００１】
本発明は、折戸用指つめ防止具及び指つめ防止具を取り付けた折戸に関する。
【背景技術】
【０００２】
一般に住宅のクローゼットや開閉間仕切りなどに用いられている折戸は、２枚のパネル体を丁番で止める構造となっており、そのためパネル体の連結部においてヒンジ金具の上方及び下方に隙間が生じる。
【０００３】
即ち、折戸は、２枚の板パネルの連結側端縁部同士を、回動軸を有するヒンジ金具により連結して、２枚のパネル体が略直線状に展開してクローゼットなどの開口部を閉鎖する状態と、前述の展開状態から略１８０度回動して２枚のパネル体がほぼ折畳まれてクローゼットなどの開口部を開放する状態が選択的にとれるようになっている。
【０００４】
ところで、以上の折戸では、パネル体の折畳み乃至展開動作時に両パネル体の連結側端縁の隙間が変化するのであって、具体的には、図９、図１０に示すように、２枚のパネル体Ａ・Ｂが折畳まれている状態から展開する際に連結側端縁の隙間が小さくなって両パネルＡ・Ｂにおける連結側端縁の特に角部分(図９、図１０において矢印Ｃで示す部分)で指が挟まれて裂傷を負う事故を招き易く、特に手の小さい子供にこのような事故の起こる可能性が高いことが報告されている。
【０００５】
以上の問題に対しては、例えば、折戸の折曲部分を外側から覆うカバーと、このカバーと折戸を構成する２枚のパネル体の連結端部を連結して、折戸の折畳み時に生じる連結端部の回転に追従するジョイント機構が備えられると共に、このジョイント機構は、上記カバーの内側に設けられたカバー保持部材と、上記パネル体の連結端部に設けられ、カバー保持部材に設けた案内孔にスライド自在に組み付けられたスライダから構成された折戸用カバー装置が提案されている（特許文献１参照）。
【０００６】
しかしながら、以上の構造のものでは、構造が複雑であって、製造コストが高くなるし、折戸への取り付けも手間を要する。
【特許文献１】特開平８−１３９３３号公報
【発明の開示】
【発明が解決しようとする課題】
【０００７】
本発明は以上の実情に鑑みて開発したものであって、目的とするところは、極めて簡単な構造でしかも折戸への取り付けが簡単な折戸用指つめ防止具及びこの指つめ防止具を取り付けた折戸を提供することにある。
【課題を解決するための手段】
【０００８】
以上の目的を達成するため、請求項１に記載の発明は、複数のパネル体の端縁同士がヒンジ金具を介して連結されて、連結されたパネル体がヒンジ金具を支点にして展開乃至折畳み可能とした折戸用の指つめ防止具であって、連結されたパネル体の背面に固定可能な一対の固定板と、これら両固定板間に掛け渡されて前記パネル体における連結側端縁間の隙間に配設される可撓性を備えたシート体から構成され、このシート体は湾曲状に屈曲していることを特徴とする。
【０００９】
請求項２に記載の発明は、複数のパネル体の端縁同士がヒンジ金具を介して連結されて、連結されたパネル体がヒンジ金具を支点にして展開乃至折畳み可能とした折戸であって、請求項１に記載の指つめ防止具の固定板を、連結されたパネル本体の背面で且つ連結側端縁との角に沿って固定して、パネル体の展開時には、前記指つめ防止具のシート体が、前記連結側端縁間の隙間内においてパネル体の背面側外方に湾曲状に突出させ、パネル体の折畳みに伴ない、湾曲状の前記シート体が前記連結側端縁間においてほぼ平面状に開くように構成されていることを特徴とする。
【発明の効果】
【００１０】
請求項１に記載の発明によれば、連結されたパネル体の背面に固定可能な一対の固定板と、これら両固定板間に掛け渡されて前記パネル体における連結側端縁間の隙間に配設される可撓性を備えたシート体から構成されて成る極めて構造が簡単なものであることから、安価に提供することが出来るし、しかも折戸への取り付けも簡単に行なえ、それでいながら、折戸への取り付けにより、指つめを確実に防止することが可能となる。
【００１１】
請求項２に記載の発明によれば、請求項１に記載の指つめ防止具の固定板を、連結されたパネル本体の背面で且つ連結側端縁との角に沿って固定して、パネル体の展開時には、前記指つめ防止具のシート体が、前記連結側端縁間の隙間内においてパネル体の背面側外方に湾曲状に突出させ、パネル体の折畳みに伴ない湾曲状の前記シート体が前記連結側端縁間においてほぼ平面状に開くように構成されていることにより、パネル体の折畳み時に広くなっているパネル体における連結側端縁間の隙間に指を入れようとしても、前記シート体により阻止されるので、パネル体の連結側端縁間の隙間での指の裂傷を確実に防止することが出来るし、しかも指つめ防止具がパネル体の背面側に組み付けられているので、折戸の外観を損なうこともない。
【発明を実施するための最良の形態】
【００１２】
図３は、本発明にかかる折戸２が取り付けられたクローゼット１の概略を示したものであって、このクローゼット１の前面開口１０に折戸２が取り付けられている。
【００１３】
折戸２は、クローゼット１の側端にヒンジ部材２０を介して回動自在に取り付けられた板状のパネル体２１と、このパネル体２１の遊端にヒンジ金具３を介して折曲げ自在に取り付けられた同じく板状のパネル体２２とで構成されている。
【００１４】
そしてパネル体２２の上端には、クローゼット１の前面開口１０における上縁部に取り付けられたレール１１に案内されてスライドするスライダー（図示せず）が取り付けられている。
【００１５】
折戸２を構成するパネル体２１・２２は、木製で且つ図３に示すように縦長に形成されている。
【００１６】
以上の折戸２は、ヒンジ金具３を構成する連結軸３１を支点にして、２枚のパネル体２１・２２が略直線状に展開してクローゼット１の開口部１０を閉鎖する状態と、前述の展開状態から略１８０度回動して２枚のパネル体２１・２２がほぼ折畳まれてクローゼット１の開口部１０を開放する状態が選択的にとれるようになっている。
【００１７】
そして、以上の折戸２では、前記したように、パネル体２１・２２の折畳み乃至展開動作時に両パネル体２１・２２の連結側端縁２１ａ・２２ａ間の隙間Ｓが変化するのであって、具体的には、図９に示すように、２枚のパネル体が折畳まれている状態から展開していく際に連結側端縁２１ａ・２２ａの隙間Ｓが小さくなる。
【００１８】
本発明にかかる折戸用指つめ防止具４は、前記した折戸１の折曲部位、具体的には両パネル体２１・２２の連結側端縁２１ａ・２２ａ間に装着されるものであって、この指つめ防止具４は、一対の固定板５a・５ｂと、シート体６から構成されている。
【００１９】
実施形態の固定板５ａ・５ｂは、ＡＢＳ樹脂から形成され、厚さが２．５mm 、幅が１５mmのものであって、長さ方向に所定間隔開けて複数のねじ挿通孔５１が形成されている。
またシート体６は、熱可塑性ポリウレタン樹脂から形成された厚さが約１．５ｍｍのものであって、このシート体６は、可撓性を有しており、自然状態では図２にも示すように、湾曲状に屈曲している。
【００２０】
そしてこのシート体６は、その幅方向両端部が固定板５a・５ｂの端縁に熱溶着などの手段により固着されている。
【００２１】
以上の折戸用指つめ防止具４は、ヒンジ金具３よりも上方若しくは下方において固定板５ａ・５ｂをパネル体２１・２２の背面で且つ連結側端縁２１ａ・２２ａとの角Ｃに沿って配設するとともにビス７で固定することで、パネル体２１・２２の背面側に取り付けるのである。
【００２２】
これにより、図６に示すように、２枚のパネル体２１・２２が開かれた状態においては、シート体６が両パネル体２１・２２の背面外方に湾曲状に突出している。
【００２３】
そして以上の指つめ防止具４を取り付けた折戸２を開かれた状態から折畳んで行くと、湾曲していたシート体６が弾性変形しながら開き、折戸２が図９に示すように折畳まれた状態では、シート体６が前記連結側端縁間においてほぼ平面状に開くのである。
【００２４】
従って、パネル体２１・２２の折畳みにより広くなったパネル体２１・２２における連結側端縁間の隙間Ｓに例えば子どもが指を入れても、指が連結側端縁の角Ｃ部分を通りこしてパネル体２１・２２の背面側まで挿入されるのを、隙間Ｓに展開した前記シート体６により確実に阻止されるので、指が両パネル体２１・２２における連結側端縁２１ａ・２２ａの角Ｃで挟まれて、指が裂傷するような事故を未然に防止することが出来る。
【００２５】
以上の指つめ防止具４は、固定板５ａ・５ｂをパネル体２１・２２の背面にビス７により固定するだけで折戸２に取り付けることが出来るので、既存の折戸２への取り付けも簡単且つ容易に行なえる。
【００２６】
また指つめ防止具４がパネル体２１・２２の背面側に組み付けられているので、折戸２の正面側の外観を損なうこともない。
【００２７】
以上の実施形態では、固定板５ａ・５ｂをパネル体２１・２２にビス７で固定するようにしたが、これに限定されるものではなく、例えばクリップ部材により固定してもよいし、あるいは接着剤により固定してもよい。
【図面の簡単な説明】
【００２８】
【図１】本発明にかかる指つめ防止具の一実施形態を示す一部省略正面図。
【図２】図１におけるＹ−Ｙ線拡大断面図。
【図３】本発明を適用したクローゼットの要部の概略斜視図。
【図４】折戸の要部の背面図。
【図５】折戸の要部の正面図。
【図６】展開した折戸の要部の断面図。
【図７】折畳み途中の折戸の要部の断面図。
【図８】折畳み途中の折戸の要部の断面図。
【図９】折畳んだ折戸の要部の断面図。
【図１０】従来の折戸の折畳んだ状態を示す断面図。
【図１１】従来の折戸の展開した状態を示す断面図。
【符号の説明】
【００２９】
１            クローゼット
２            折戸
２１・２２    パネル体
３            ヒンジ金具
４            指つめ防止具
５ａ・５ｂ    固定板
６            シート体
７            ビス
Ｓ            隙間
【図１】
2009121034.tif 000003
【図２】
2009121034.tif 000004
【図３】
2009121034.tif 000005
【図４】
2009121034.tif 000006
【図５】
2009121034.tif 000007
【図６】
2009121034.tif 000008
【図７】
2009121034.tif 000009
【図８】
2009121034.tif 000010
【図９】
2009121034.tif 000011
【図１０】
2009121034.tif 000012
【図１１】
2009121034.tif 000013